(57)【要約】  携帯電話機（携帯電子機器）（１）は、加速度を検出する加速度センサ（１５）と、通信を行う通信部と、制御部（１７）とを備える。制御部（１７）は、通信部による通信機能をＯＮしている際に、加速度センサ（１５）により検出された加速度に基づく歩数が第１歩数に達することにより、自機器が停止状態から歩行状態に遷移する。制御部（１７）は、自機器の状態が停止状態から歩行状態に遷移した場合、通信部による通信機能をＯＮのまま維持する。制御部（１７）は、加速度に基づく歩数が第１歩数より多い第２歩数に達すると、通信部による通信機能をＯＦＦにする。
2014175394.tif 000002
【特許請求の範囲】
【請求項１】
加速度を検出する加速度センサと、
通信を行う通信部と、
前記通信部による通信機能をＯＮしている際に、
前記加速度センサにより検出された加速度に基づく歩数が第１歩数に達することにより、自機器の状態が停止状態から歩行状態に遷移した場合は、前記通信部による通信機能をＯＮのまま維持し、
前記加速度センサにより検出された加速度に基づく歩数が前記第１歩数より多い第２歩数に達すると、前記通信部による通信機能をＯＦＦにする制御部と、
を備える携帯電子機器。 
【請求項２】
請求項１の携帯電子機器において、
前記通信部は、アクセスポイントを介して通信を行うアクセスポイント通信部であって、
前記携帯電子機器は更に、基地局を介して通信を行う基地局通信部を有し、
前記制御部は、前記アクセスポイント通信部による通信機能をＯＦＦにすると、前記アクセスポイント通信部による通信から前記基地局通信部による通信に切り換えるように制御する
携帯電子機器。
【請求項３】
請求項１の携帯電子機器において、
前記通信部は、通信を行う狭域無線通信部であって、
前記携帯電子機器は更に、通信を行う広域無線通信部を有し、
前記狭域無線通信部による電波の送受信が可能な範囲は、前記広域無線通信部による電波の送受信が可能な範囲より狭く、
前記制御部は、前記狭域無線通信部による通信機能をＯＦＦにすると、前記狭域無線通信部による通信から前記広域無線通信部による通信に切り換えるように制御する
携帯電子機器。
【請求項４】
請求項１乃至３のいずれか一項に記載の携帯電子機器において、
歩数の合計を記憶する記憶部を更に備え、
前記制御部は、前記加速度センサにより検出された加速度に基づく歩数が前記第１歩数に達し、自機器の状態が停止状態から歩行状態に遷移した場合は、前記歩数を前記歩数の合計に加算し、
前記加速度センサにより検出された加速度に基づく歩数が前記第１歩数に達しなかった場合は、前記歩数を前記歩数の合計に加算しない
携帯電子機器。
【請求項５】
請求項１の携帯電子機器において、
高度を検出する高度センサを更に備え、
前記制御部は、前記高度センサにより検出される高度値が所定値以上変化した場合、前記加速度センサにより検出された加速度に基づく歩数が前記第２歩数より少ない第３歩数に達すると、前記通信部による通信機能をＯＦＦにする
携帯電子機器。
【請求項６】
加速度を検出する加速度センサと、
方位を検出する方位センサと、
通信を行う通信部と、
前記方位センサにより検出される方位により、前記加速度センサにより検出された加速度に基づく歩数を前記方位ごとに対応付けを行う制御部と、を備え、
前記制御部は、前記通信部による通信機能をＯＮしている際に、前記方位ごとに対応付けられた歩数のうち、いずれかの方位に対応付けられた歩数が、所定歩数に達すると、前記通信部による通信機能をＯＦＦする
携帯電子機器。
【発明の詳細な説明】
【技術分野】
【０００１】
本発明は、通信可能な携帯電子機器に関する。
【背景技術】
【０００２】
携帯電子機器には、複数の通信方式により通信を行うものがある（例えば、特許文献１を参照）。【０００３】
ところで、携帯電子機器には、ＷｉＦｉ（登録商標）などの無線ＬＡＮシステムによる通信を行うものがある。一般に、無線ＬＡＮシステムによる通信は、セルラーフォンの通信規格による通信と比べて、カバレッジエリアが狭いといった短所がある。一方で、無線ＬＡＮシステムによる通信は、通信速度が速かったり、通信料金が無料であったりする長所があるため、携帯電子機器のユーザは、無線ＬＡＮシステムによる通信機能をＯＮにし、近くのアクセスポイントを介して無線ＬＡＮシステムによる通信を行おうとすることが考えられる。【０００４】
しかしながら、無線ＬＡＮシステムの通信機能をＯＮにしてユーザが移動した場合には、無線ＬＡＮシステムのアクセスポイントはカバレッジエリアが狭いために、ユーザが少し移動しただけでカバレッジエリアを出てしまうことになる。その結果、ユーザの移動に伴い携帯電子機器は頻繁にサーチを繰り返すことになり、電力消費量が多くなってしまう。
【先行技術文献】
【特許文献】
【０００５】
【特許文献１】特開２００９−３０３２３４号公報
【発明の概要】
【発明が解決しようとする課題】
【０００６】
通信部による通信機能には、改善の余地がある。
【課題を解決するための手段】
【０００７】
本発明の第１の実施形態に係る携帯電子機器は、加速度を検出する加速度センサと、通信を行う通信部と、制御部と、を備える。制御部は、前記通信部による通信機能をＯＮしている際に、前記加速度センサにより検出された加速度に基づく歩数が第１歩数に達することにより、自機器の状態が停止状態から歩行状態に遷移する。制御部は、自機器の状態が停止状態から歩行状態に遷移した場合、前記通信部による通信機能をＯＮのまま維持する。制御部は、前記加速度センサにより検出された加速度に基づく歩数が第２歩数に達すると、前記通信部による通信機能をＯＦＦにする。第２歩数は、前記第１歩数より多い。【０００８】
本発明の第２の実施形態に係る携帯電子機器の前記通信部は、アクセスポイントを介して通信を行うアクセスポイント通信部である。前記携帯電子機器は更に、基地局を介して通信を行う基地局通信部を有する。前記制御部は、前記アクセスポイント通信部による通信機能をＯＦＦにすると、前記アクセスポイント通信部による通信から前記基地局通信部による通信に切り換える。【０００９】
本発明の第３の実施形態に係る携帯電子機器の前記通信部は、通信を行う狭域無線通信部である。前記携帯電子機器は更に、通信を行う広域無線通信部を有する。前記狭域無線通信部による電波の送受信が可能な範囲は、前記広域無線通信部による電波の送受信が可能な範囲より狭い。前記制御部は、前記狭域無線通信部による通信機能をＯＦＦにすると、前記狭域無線通信部による通信から前記広域無線通信部による通信に切り換える。【００１０】
本発明の第４の実施形態に係る携帯電子機器は、歩数の合計を記憶する記憶部を更に備える。前記制御部は、前記加速度センサにより検出された加速度に基づく歩数が前記第１歩数に達し、自機器の状態が停止状態から歩行状態に遷移した場合は、前記歩数を前記歩数の合計に加算し、前記加速度センサにより検出された加速度に基づく歩数が前記第１歩数に達しなかった場合は、前記歩数を前記歩数の合計に加算しない。【００１１】
本発明の第５の実施形態に係る携帯電子機器は、高度を検出する高度センサを更に備える。前記制御部は、前記高度センサにより検出される高度値が所定値以上変化した場合、前記加速度センサにより検出された加速度に基づく歩数が前記第２歩数より少ない第３歩数に達すると、前記通信部による通信機能をＯＦＦにする。【００１２】
本発明の第６の実施形態に係る携帯電子機器は、加速度を検出する加速度センサと、方位を検出する方位センサと、通信を行う通信部と、前記方位センサにより検出される方位により、前記加速度センサにより検出された加速度に基づく歩数を前記方位ごとに対応付けを行う制御部と、を備える。前記制御部は、前記通信部による通信機能をＯＮしている際に、前記方位ごとに対応付けられた歩数のうち、いずれかの方位に対応付けられた歩数が、所定歩数に達すると、前記通信部による通信機能をＯＦＦする。
【発明の効果】
【００１３】
本発明によれば、通信部による通信機能を改善することができる。
【図面の簡単な説明】
【００１４】
【図１】図１は、実施形態に係る携帯電子機器の構成を示すブロック図である。
【図２】図２は、実施形態に係る携帯電子機器の動作の流れを示すフローチャートである。
【発明を実施するための形態】
【００１５】
本発明を実施するための実施形態を、図面を参照しつつ詳細に説明する。以下では、携帯電子機器の一例として、携帯電話機１について説明する。
【００１６】
携帯電話機１は、図１に示すように、表示部１１と、操作部１２と、アクセスポイント通信部１３と、基地局通信部１４、加速度センサ１５と、記憶部１６と、制御部１７とを備える。
【００１７】
表示部１１は、液晶ディスプレイ（Ｌｉｑｕｉｄ  Ｃｒｙｓｔａｌ  Ｄｉｓｐｌａｙ）、又は有機ＥＬパネル（Ｏｒｇａｎｉｃ  Ｅｌｅｃｔｒｏ−Ｌｕｍｉｎｅｓｃｅｎｃｅ  ｐａｎｅｌ）等の表示デバイスにより構成されている。表示部１１には、文字、画像、記号又は図形等が表示される。
【００１８】
操作部１２は、複数のボタンから構成されており、ユーザによって操作される。なお、操作部１２は、単一のボタンにより構成されていてもよい。
【００１９】
アクセスポイント通信部１３は、アンテナと、ＲＦ回路部とを備える。アクセスポイント通信部１３は、通信部又は狭域無線通信部でもある。アクセスポイント通信部１３は、無線ＬＡＮシステムによる通信を可能とする。アクセスポイント通信部１３は、アクセスポイント（無線ＬＡＮアクセスポイント）を介して他の携帯電話機などと通信を行う。アクセスポイント通信部１３の無線ＬＡＮシステムによる通信は、比較的限定されたエリア内で通信を行うものである。アクセスポイント通信部１３による電波の送受信が可能な範囲は、後述する基地局通信部１４による電波の送受信が可能な範囲より狭い。１つのアクセスポイントのカバレッジエリアは、半径が５０〜１００ｍ程度である。なお、本実施形態のアクセスポイント通信部１３は、無線ＬＡＮシステムである、ＩＥＥＥ８０２．１１に準拠している無線通信システム、例えば、ＷｉＦｉ（登録商標）の無線通信システムによる通信を可能とする。
【００２０】
基地局通信部１４は、アンテナと、ＲＦ回路部とを備える。基地局通信部１４は、２Ｇ、３Ｇ、４Ｇ等のセルラーフォンの通信規格による通信を可能とする。基地局通信部１４は、基地局を介して他の携帯電話機などと通信を行う。１つの基地局のカバレッジエリアは、半径が２ｋｍ程度である。基地局通信部１４による通信の通信速度（伝送速度）は、アクセスポイント通信部１３による通信の通信速度より低速の場合がある。
【００２１】
加速度センサ１５は、携帯電話機１に働く加速度の方向及び大きさを検出する。加速度センサ１５は、検出結果を制御部１７に出力する。本実施形態の加速度センサ１５は、Ｘ軸方向、Ｙ軸方向及びＺ軸方向の加速度を検出する３Ｇ（３次元）タイプである。
【００２２】
加速度センサ１５は、例えば、ピエゾ抵抗型、静電容量型、圧電素子（圧電式）、熱検知型によるＭＥＭＳ（Ｍｉｃｒｏ  Ｅｌｅｃｔｒｏ  Ｍｅｃｈａｎｉｃａｌ  Ｓｙｓｔｅｍｓ）式、可動コイルを動かしてフィードバック電流によってもとに戻すサーボ式、又は加速度によって生じる歪を歪ゲージによって測定する歪ゲージ式等により構成のものを採用してもよい。
【００２３】
記憶部１６は、制御部１７による演算処理に利用される。記憶部１６は、例えば、メモリ等によって構成される。記憶部１６は、携帯電話機１の内部で動作するアプリケーションを１又は複数記憶する。記憶部１６は、着脱可能な外部メモリを兼ねていてもよい。記憶部１６は、後述する停止状態から歩行状態に遷移したか否か判定するために利用する第１歩数を記憶する。記憶部１６は、第１歩数として、例えば１０歩を記憶する。記憶部１６は、後述するアクセスポイント通信部１３による通信機能をＯＦＦにするために利用する第２歩数を記憶する。第２歩数は第１歩数より歩数が多くなるように設定される。記憶部１６は、第２歩数として、例えば５０歩を記憶する。第１歩数及び第２歩数の歩数は、ユーザによって変更可能であってもよい。記憶部１６は、加速度センサ１５によって検出される加速度に基づき検出される歩数の合計を記憶する。記憶部１６は、携帯電話機１の状態を判定するために利用される歩行判定パターンを記憶する。歩行判定パターンとは、携帯電話機１のユーザが１歩歩いた際に検出される加速度パターンの基準となるものである。
【００２４】
制御部１７は、携帯電話機１の全体を制御する。制御部１７は、例えば、中央処理装置（ＣＰＵ）等を用いて構成される。
【００２５】
制御部１７は、加速度センサ１５によって検出される加速度に基づき、携帯電話機１の状態を判定する。制御部１７は、携帯電話機１の状態を判別するにあたり、記憶部１６に記憶されている歩行判定パターンを用いる。
【００２６】
制御部１７は、加速度センサ１５によって検出される加速度と、歩行判定パターンとの比較を行う。制御部１７は、加速度センサ１５により検出される加速度パターンと歩行判定パターンとの誤差が所定の範囲内であると判定した場合に、携帯電話機１のユーザが１歩歩いたと判定する。制御部１７が携帯電話機１のユーザが１歩歩いたと判定した後、制御部１７は引き続き加速度センサ１５によって検出される加速度と、歩行判定パターンとの比較を行う。つまり、制御部１７は、ユーザが１歩歩いたか否かの判定を繰り返す。制御部１７は、携帯電話機１のユーザが１歩歩いたと判定した後、所定時間以内に加速度センサ１５によって検出される加速度と、歩行判定パターンとの誤差が所定の範囲内であると判定した場合には、携帯電話機１のユーザが連続して歩いたと判定する。
【００２７】
本実施形態において、制御部１７は、上述した検出処理を繰り返し、携帯電話機１のユーザが連続して歩いた歩数を検出する。制御部１７は、ユーザが連続して歩いたと検出した歩数が記憶部１６に記憶されている第１歩数（１０歩）に達すると、携帯電話機１の状態が停止状態から歩行状態に遷移したと判定する。制御部１７は、携帯電話機１の状態が停止状態から歩行状態に遷移したと判定した場合、記憶部１６に記憶される歩数の合計に第１歩数（１０歩）を加算する。制御部１７は、携帯電話機１の状態が歩行状態である場合に、携帯電話機１のユーザが１歩歩いたと判定するごとに、記憶部１６に記憶される歩数の合計に１歩を加算する。
【００２８】
制御部１７は、携帯電話機１のユーザが連続して歩いた歩数が記憶部１６に記憶されている第１歩数（１０歩）に達する前は、携帯電話機１の状態が停止状態であると判定する。制御部１７は、携帯電話機１の状態が歩行状態である場合に、所定時間以内に加速度センサ１５によって検出される加速度と、歩行判定パターンとの誤差が所定の範囲外であるとの判定が、携帯電話機１のユーザが最後に歩いたと判定してから所定時間継続した場合には、携帯電話機１の状態が歩行状態から停止状態に遷移したと判定する。
【００２９】
制御部１７は、携帯電話機１のユーザが連続して歩いたと検出した歩数が記憶部１６に記憶されている第１歩数（１０歩）に達しなかった場合、記憶部１６に記憶されている歩数の合計に歩いた歩数を加算しない。このように処理することにより、記憶部１６に記憶されている歩数の合計が、携帯電話機１のユーザによる歩行とは異なる動きによって増えるおそれを低減することができる。
【００３０】
なお、歩行状態とは、例えば、携帯電話機１のユーザの歩行に従って、記憶部１６に記憶されている歩数の合計が加算される状態である。この歩行状態では、例えば、表示部１１に歩数の合計が表示されている場合、携帯電話機１のユーザの歩行に従って、歩数の合計に新たに検出した歩数が加わっていくことが確認できる。
【００３１】
つぎに、携帯電話機１の動作の流れについて、図２に示すフローチャートを参照しながら説明する。図２に示すフローチャートでは、携帯電話機１の状態が停止状態、例えば、携帯電話機１のユーザが移動せずに止まっている状態で処理を開始する。
【００３２】
ステップＳＴ１において、制御部１７は、アクセスポイント通信部１３による通信機能がＯＮになっているか否か判定する。ここで、アクセスポイント通信部１３による通信機能がＯＮになっている状態とは、アクセスポイント通信部１３が通信を行うために動作している状態である。例えば、携帯電話機１のユーザは、操作部１２を操作することにより、アクセスポイント通信部１３による通信機能をＯＮ又はＯＦＦにすることができる。制御部１７は、ステップＳＴ１にて、アクセスポイント通信部１３による通信機能がＯＮになっていないと判定した場合（ステップＳＴ１，Ｎｏ）、つまりアクセスポイント通信部１３による通信機能がＯＦＦになっている場合、アクセスポイント通信部１３による通信機能がＯＮになるまで、ステップＳＴ１の処理を繰り返す。
【００３３】
ステップＳＴ１にて、制御部１７がアクセスポイント通信部１３による通信機能がＯＮになっていると判定すると（ステップＳＴ１，Ｙｅｓ）、ステップＳＴ２に移項する。ステップＳＴ２にて、制御部１７は、携帯電話機１の状態が停止状態から歩行状態に遷移したか否か判定する。制御部１７は、加速度センサ１５により検出される加速度と、歩行判定パターンとを比較して、携帯電話機１のユーザが連続して歩いた歩数を検出する。制御部１７は、携帯電話機１のユーザが連続して歩いた歩数が記憶部１６に記憶されている第１歩数（１０歩）に達した場合、携帯電話機１の状態が停止状態から歩行状態に遷移したと判定する。制御部１７は、ステップＳＴ２にて携帯電話機１の状態が停止状態から歩行状態に遷移していないと判定した場合（ステップＳＴ２，Ｎｏ）、携帯電話機１の状態が停止状態から歩行状態に遷移するまでステップＳＴ２の処理を繰り返す。
【００３４】
ステップＳＴ２にて、制御部１７が携帯電話機１の状態が停止状態から歩行状態に遷移したと判定した場合（ステップＳＴ２，Ｙｅｓ）、ステップＳＴ３に移項する。ステップＳＴ３にて、制御部１７は、アクセスポイント通信部１３による通信機能をＯＮのまま維持する。
【００３５】
ステップＳＴ３の後、ステップＳＴ４にて、制御部１７は、記憶部１６に記憶される歩数の合計に第１歩数（１０歩）を加算する。制御部１７は、携帯電話機１の状態が歩行状態である場合に、携帯電話機１のユーザが１歩歩いたと判定するごとに、記憶部１６に記憶される歩数の合計に１歩を加算する。なお、ステップＳＴ２からステップＳＴ３に進むまでは、制御部１７は、記憶部１６に記憶される歩数の合計に第１歩数は加算しない。
【００３６】
ステップＳＴ４の後、ステップＳＴ５にて、制御部１７は、歩行状態から停止状態に遷移したか否か判定する。制御部１７は、加速度センサ１５によって検出される加速度と、歩行判定パターンとの誤差が所定の範囲外であるとの判定が、携帯電話機１のユーザが最後に歩いたと判定してから所定時間継続した場合には、携帯電話機１の状態が歩行状態から停止状態に遷移したと判定する。制御部１７は、歩行状態から停止状態に遷移したと判定した場合（ステップＳＴ５，Ｙｅｓ）、ステップＳＴ２に移行する。制御部１７は、歩行状態から停止状態に遷移していないと判定した場合（ステップＳＴ５，Ｎｏ）、ステップＳＴ６に移行する。
【００３７】
ステップＳＴ６にて、制御部１７は、携帯電話機１のユーザが連続して歩いたと判定した歩数が記憶部１６に記憶されている第２歩数（５０歩）に達したか否か判定する。ステップＳＴ６にて、制御部１７は、携帯電話機１のユーザが連続して歩いたと判定した歩数が記憶部１６に記憶されている第２歩数（５０歩）に達していないと判定した場合（ステップＳＴ６，Ｎｏ）、ステップＳＴ４に移行する。ステップＳＴ６にて、制御部１７は、携帯電話機１のユーザが連続して歩いたと判定した歩数が記憶部１６に記憶されている第２歩数（５０歩）に達したと判定した場合（ステップＳＴ６，Ｙｅｓ）、ステップＳＴ７に移項する。ステップＳＴ７にて、制御部１７は、アクセスポイント通信部１３による通信機能をＯＦＦし、本フローを終了する。
【００３８】
以上、本実施形態によれば、携帯電話機１は、アクセスポイント通信部１３による通信機能をＯＮしている際に、加速度に基づいて検出される歩数が第１歩数に達することにより、停止状態から歩行状態に遷移した場合は、アクセスポイント通信部１３による通信機能をＯＮのまま維持する。この携帯電話機１は、加速度に基づいて検出される歩数が第１歩数より多い第２歩数に達すると、アクセスポイント通信部１３による通信機能をＯＦＦにする。
【００３９】
携帯電話機１では、歩行状態に遷移しただけでは通信機能をＯＦＦにせず、歩行状態に遷移したのち、更に歩行することにより通信機能をＯＦＦにする。携帯電話機１では、停止状態から歩行状態に遷移する第１歩数と、通信機能をＯＦＦにする第２歩数とが独立している。携帯電話機１では、ユーザの実際の状態と携帯電子機器により判定された状態とが異なっている状態が長期化するおそれを低減することができる。携帯電話機１では、少しの歩行で歩行状態に遷移し通信機能がＯＦＦになってしまうといったおそれを低減することができる。
【００４０】
以上、本発明の実施形態について説明したが、本発明は前述した実施形態に限るものではない。また、本発明による効果は、前述の実施形態に記載されたものに限定されるものではない。
【００４１】
上記の実施形態では、携帯電話機１が、加速度に基づいて検出された歩数が第１歩数より多い第２歩数に達すると、アクセスポイント通信部１３による通信機能をＯＦＦにする。携帯電話機１は、加速度に基づいて検出された歩数が第１歩数より多い第２歩数に達すると、アクセスポイント通信部１３（狭域無線通信部）による通信から基地局通信部１４（広域無線通信部）による通信に切り換えてもよい。
【００４２】
携帯電話機１は、更に高度を検出する高度センサを備えて、携帯電話機１の高度を検出するようにしてもよい。高度センサは、例えば、気圧高度計又は電波高度計等によって構成される。携帯電話機１が高度センサを備える場合、高度センサにより検出される高度値が所定値以上変化した場合に、通信部による通信機能をＯＦＦにする歩数を変更してもよい。高度センサにより検出される高度値が所定値以上変化した場合に、携帯電話機１は、第３歩数を基準とすることができる。第３歩数は、第１歩数よりも大きく、第２歩数よりも小さい。例えば、第３歩数は、第１歩数の１０歩より大きく、第２歩数の５０歩よりも小さい３０歩に設定される。高度センサにより高度値の変化は、例えば、停止状態から歩行状態に遷移してから、または、停止状態において加速度センサ１５により検出される加速度と、歩行判定パターンとに基づいて、携帯電話機１のユーザが１歩歩いたと判定してからを基準とすることができる。携帯電話機１は、高度センサにより検出される高度値が所定値以上変化した場合に、アクセスポイント通信部１３（狭域無線通信部）による通信から基地局通信部１４（広域無線通信部）による通信に切り換えてもよい。
【００４３】
携帯電話機１は、更に方位（向き）を検出する方位センサを備えてもよい。方位センサは、例えば、地磁気センサ又はジャイロセンサによって構成される。携帯電話機１が方位センサを備える場合、制御部１７は、携帯電話機１のユーザが１歩歩いたと判定するごとに、方位センサにより方位を検出する。１歩を検出した際に検出した方位と、当該１歩とを対応付ける。例えば、方位を東西南北（３６０度）で４等分する場合、４等分した方位のうち該当する範囲の方位に検出した方位を対応付けてもよい。携帯電話機１は、通信部による通信機能をＯＮしている際に、ユーザが連続して歩いた歩数のうち、いずれかの方位（範囲）に対応付けられた歩数が、所定歩数（例えば、１０歩）に達すると、通信部による通信機能をＯＦＦしてもよい。
【符号の説明】
【００４４】
１  携帯電話機
１１  表示部
１２  操作部
１３  アクセスポイント通信部
１４  基地局通信部
１５  加速度センサ
１６  記憶部
１７  制御部
【図１】
2014175394.tif 000003
【図２】
2014175394.tif 000004
【国際調査報告】
2014175394.tif 000005
2014175394.tif 000006
2014175394.tif 000007
2014175394.tif 000008